(57)【特許請求の範囲】
【請求項１】
使用者の年齢情報を取得する年齢情報取得手段と、使用者の性別情報を取得する性別情報取得手段と、使用者の身長情報を取得する身長情報取得手段と、使用者の体重情報を取得する体重情報取得手段と、使用者の骨量情報を取得する骨量情報取得手段と、使用者の摂取すべきカルシウム所要量情報を取得するカルシウム所要量情報取得手段とを備えてなり、前記カルシウム所要量情報取得手段は少なくとも取得された年齢情報と性別情報と身長情報と体重情報と骨量情報とに基づいて使用者のカルシウム所要量を算出するデータテーブルを備えることを特徴とする健康管理装置。
【請求項２】
請求項１に記載の健康管理装置であって、前記骨量情報取得手段が、使用者の除脂肪量情報を取得する除脂肪量情報取得手段と、取得された除脂肪量情報に基づいて使用者の骨量情報を算出する骨量情報算出手段とを含んでなることを特徴とする健康管理装置。
【請求項３】
請求項２に記載の健康管理装置であって、前記除脂肪量情報取得手段が、使用者の身長情報を取得する身長情報取得手段と、使用者の身体インピーダンス情報を取得する身体インピーダンス情報取得手段と、取得された身長情報と身体インピーダンス情報とに基づいて使用者の除脂肪量情報を算出する除脂肪量情報算出手段とを含んでなることを特徴とする健康管理装置。
【請求項４】
請求項２に記載の健康管理装置であって、前記除脂肪量情報取得手段が、使用者の身長情報を取得する身長情報取得手段と、使用者の体重情報を取得する体重情報取得手段と、使用者の身体インピーダンス情報を取得する身体インピーダンス情報取得手段と、取得された身長情報と体重情報と身体インピーダンス情報とに基づいて使用者の除脂肪量情報を算出する除脂肪量情報算出手段とを含んでなることを特徴とする健康管理装置。
【請求項５】
請求項１乃至４に記載の健康管理装置であって、使用者の筋肉量情報を取得する筋肉量情報取得手段を更に備え、前記カルシウム所要量情報取得手段が、取得された年齢情報と性別情報と身長情報と骨量情報と筋肉量情報とに基づいて、使用者の摂取すべきカルシウム所要量情報を取得することを特徴とする健康管理装置。
【請求項６】
請求項５に記載の健康管理装置であって、前記筋肉量情報取得手段が、使用者の骨量情報を取得する骨量情報取得手段と、使用者の除脂肪量情報を取得する除脂肪量情報取得手段と、取得された骨量情報と除脂肪量情報とに基づいて使用者の筋肉量情報を算出する筋肉量情報算出手段とを含んでなることを特徴とする健康管理装置。
【発明の詳細な説明】
【技術分野】
【０００１】
本発明は、使用者の摂取すべきカルシウム所要量情報を取得することのできる健康管理装置に関する。
【背景技術】
【０００２】
使用者の身体のインピーダンス値等に基づいて当該使用者の体脂肪量又は体脂肪率を算定する技術及び装置は、例えば特許文献１及び２の如く、既に良く知られている。また、斯かる装置を更に改良、発展させて、使用者の骨量や筋肉量、基礎代謝量等といった体組成情報を取得する技術及び装置も、例えば特許文献３、４及び５の如く、種々提案され、一部では実用化されている。なお、これら特許文献１から５に開示された如き公知の装置を、本明細書においては体組成計と総称する。
【０００３】
【特許文献１】特公平５−４９０５０号公報
【特許文献２】特許第２８３５６６２号公報
【特許文献３】特開２００５−８０９７６号公報
【特許文献４】特開２００４−３４４５１８号公報
【特許文献５】特開２００２−１７２０９９号公報
【発明の開示】
【発明が解決しようとする課題】
【０００４】
公知の体組成計には、使用者が摂取すべきカルシウム所要量に関する情報を使用者に知らせる機能が搭載されていない。この点につき、斯かる機能としては、体組成情報を取得するための基礎データとして体組成計に入力される使用者の年齢、性別、身長に関する各情報を利用して、厚生労働省から提言されているカルシウム摂取基準値に則って当該使用者の摂取すべきカルシウム所要量情報を取得するものが考えられる。
【０００５】
しかしながら、厚生労働省の提言するカルシウム摂取基準値は性別及び大まかな年代別、身長別のものに過ぎず、これを体組成計に組込んだとしても、使用者の摂取すべきカルシウム所要量情報を、使用者の体組成に応じて取得することはできない。
【０００６】
従って、本発明の目的は、使用者の摂取すべきカルシウム所要量情報を、使用者の体組成に応じて取得することのできる健康管理装置を提供することにある。
【課題を解決するための手段】
【０００７】
本発明の健康管理装置は、使用者の年齢情報を取得する年齢情報取得手段と、使用者の性別情報を取得する性別情報取得手段と、使用者の身長情報を取得する身長情報取得手段と、使用者の体重情報を取得する体重情報取得手段と、使用者の骨量情報を取得する骨量情報取得手段と、取得された年齢情報と性別情報と身長情報と体重情報と骨量情報とに基づいて使用者の摂取すべきカルシウム所要量情報を取得するカルシウム所要量情報取得手段とを備えてなるものである。
【０００８】
ここで、前記骨量情報取得手段が、使用者の除脂肪量情報を取得する除脂肪量情報取得手段と、取得された除脂肪量情報に基づいて使用者の骨量情報を算出する骨量情報算出手段とを含んでなるものであることが望ましい。
【０００９】
更に、前記除脂肪量情報取得手段が、使用者の身長情報を取得する身長情報取得手段と、使用者の身体インピーダンス情報を取得する身体インピーダンス情報取得手段と、取得された身長情報と身体インピーダンス情報とに基づいて使用者の除脂肪量情報を算出する除脂肪量情報算出手段とを含んでなるものであることが望ましい。
【００１０】
或いは、前記除脂肪量情報取得手段が、使用者の身長情報を取得する身長情報取得手段と、使用者の体重情報を取得する体重情報取得手段と、使用者の身体インピーダンス情報を取得する身体インピーダンス情報取得手段と、取得された身長情報と体重情報と身体インピーダンス情報とに基づいて使用者の除脂肪量情報を算出する除脂肪量情報算出手段とを含んでなるものであることが望ましい。
【００１１】
また、本発明の健康管理装置は、使用者の筋肉量情報を取得する筋肉量情報取得手段を更に備え、前記カルシウム所要量情報取得手段が、取得された年齢情報と性別情報と身長情報と骨量情報と筋肉量情報とに基づいて、使用者の摂取すべきカルシウム所要量情報を取得するものであることが望ましい。
【００１２】
ここで、前記筋肉量情報取得手段が、使用者の骨量情報を取得する骨量情報取得手段と、使用者の除脂肪量情報を取得する除脂肪量情報取得手段と、取得された骨量情報と除脂肪量情報とに基づいて使用者の筋肉量情報を算出する筋肉量情報算出手段と
を含んでなるものであることが望ましい。
【発明の効果】
【００１３】
本発明の健康管理装置であれば、使用者の年齢、性別、身長、体重及び骨量に関する各情報を取得する手段と、これら年齢、性別、身長、体重及び骨量に関する各情報に基づいて当該使用者の摂取すべきカルシウム所要量情報を取得する手段とを備えてなるので、使用者の年齢、性別、身長に関する各情報だけでなく、カルシウムと極めて密接な関係を有する骨量に関する情報をも加味して、当該使用者の摂取すべきカルシウム所要量情報が取得される。即ち、使用者の摂取すべきカルシウム所要量情報を、使用者の体組成たる骨量に応じて取得することが可能となる。
【００１４】
ここで、骨量情報を取得するための手段を、除脂肪量情報を取得する手段と、除脂肪量情報に基づいて骨量情報を算出する手段とを含むものとしたときは、既存の技術を応用して信頼性の高い装置とすることができる。
【００１５】
更に、除脂肪量情報を取得する手段を、身長情報を取得する手段と、身体インピーダンス情報を取得する手段と、身長情報と身体インピーダンス情報とに基づいて除脂肪量情報を算出する手段とを含むものとしたとき、或いは、除脂肪量情報を取得する手段を、身長情報を取得する手段と、体重情報を取得する手段と、身体インピーダンス情報を取得する手段と、身長情報と体重情報と身体インピーダンス情報とに基づいて除脂肪量情報を算出する手段とを含むものとしたときは、既存の技術及び装置を応用して信頼性の高い装置を簡便に、従って低コストで提供することができる。
【００１６】
また、本発明の健康管理装置が、筋肉量情報を取得する手段を更に備えるときは、使用者の年齢、性別、身長に関する各情報だけでなく、カルシウムと極めて密接な関係を有する骨量に関する情報のほか、筋肉量に関する各情報をも加味して、当該使用者の摂取すべきカルシウム所要量情報が取得される。即ち、使用者の摂取すべきカルシウム所要量情報を、使用者の体組成たる骨量及び筋肉量に応じて取得することが可能となる。
【００１７】
ここで、筋肉量情報を取得するための手段を、骨量情報を取得する手段と、除脂肪量情報を取得する手段と、骨量情報と除脂肪量情報とに基づいて筋肉量情報を算出する手段とを含むものとしたときは、既存の技術を応用して信頼性の高い装置とすることができ、更に、これら骨量情報を取得する手段及び除脂肪量情報を取得する手段を、前述の除脂肪量情報に基づいて骨量情報を算出する手段、並びに身長情報を取得する手段、身体インピーダンス情報を取得する手段、及び身長情報と身体インピーダンス情報とに基づいて除脂肪量情報を算出する手段を含むものとしたときは、既存の技術及び装置を応用して信頼性の高い装置を簡便に、従って低コストで提供することができる。
【発明を実施するための最良の形態】
【００１８】
本発明の健康管理装置は、使用者の年齢情報を取得する年齢情報取得手段と、使用者の性別情報を取得する性別情報取得手段と、使用者の身長情報を取得する身長情報取得手段と、使用者の体重情報を取得する体重情報取得手段と、使用者の骨量情報を取得する骨量情報取得手段と、取得された年齢情報と性別情報と身長情報と体重情報と骨量情報とに基づいて使用者の摂取すべきカルシウム所要量情報を取得するカルシウム所要量情報取得手段とを備えてなるものである。
【００１９】
ここで、前記骨量情報取得手段が、使用者の除脂肪量情報を取得する除脂肪量情報取得手段と、取得された除脂肪量情報に基づいて使用者の骨量情報を算出する骨量情報算出手段とを含んでなるものであることが望ましい。
【００２０】
更に、前記除脂肪量情報取得手段が、使用者の身長情報を取得する身長情報取得手段と、使用者の身体インピーダンス情報を取得する身体インピーダンス情報取得手段と、取得された身長情報と身体インピーダンス情報とに基づいて使用者の除脂肪量情報を算出する除脂肪量情報算出手段とを含んでなるものであることが望ましい。
【００２１】
或いは、前記除脂肪量情報取得手段が、使用者の身長情報を取得する身長情報取得手段と、使用者の体重情報を取得する体重情報取得手段と、使用者の身体インピーダンス情報を取得する身体インピーダンス情報取得手段と、取得された身長情報と体重情報と身体インピーダンス情報とに基づいて使用者の除脂肪量情報を算出する除脂肪量情報算出手段とを含んでなるものであることが望ましい。
【００２２】
また、本発明の健康管理装置は、使用者の筋肉量情報を取得する筋肉量情報取得手段を更に備え、前記カルシウム所要量情報取得手段が、取得された年齢情報と性別情報と身長情報と骨量情報と筋肉量情報とに基づいて、使用者の摂取すべきカルシウム所要量情報を取得するものであることが望ましい。
【００２３】
ここで、前記筋肉量情報取得手段が、使用者の骨量情報を取得する骨量情報取得手段と、使用者の除脂肪量情報を取得する除脂肪量情報取得手段と、取得された骨量情報と除脂肪量情報とに基づいて使用者の筋肉量情報を算出する筋肉量情報算出手段と
を含んでなるものであることが望ましい。
【実施例】
【００２４】
以下、本発明の好適な実施例を、図面を参照して説明する。図１は、本発明の実施例たる健康管理装置１の外観図である。図２は、この健康管理装置１に内蔵された電気回路構成の概要を示すブロック図である。図３は、この健康管理装置１で実行される個人データ登録処理のフローチャートである。図４は、この健康管理装置１で実行される生体データ測定処理のフローチャートである。図５は、この健康管理装置１に格納されたデータテーブルを表す図である。図６は、この健康管理装置１に格納された別のデータテーブルを表す図である。図７は、この健康管理装置１に格納された更に別のデータテーブルを表す図である。図８は、この健康管理装置１に格納された更に別のデータテーブルを表す図である。図９は、この健康管理装置１で実行される生体データ表示の例を表す図である。
【００２５】
この健康管理装置１（以下、単に「装置１」と略称する。）は、使用者の年齢データと性別データと身長データと体重データと両足間の身体インピーダンスデータとを利用して使用者の体脂肪率、骨量、筋肉量、基礎代謝量といった体組成データを算出し得るように構成された公知の体組成計を改良したもので、更にこれらのデータのうちのいくつかに基づいて使用者の摂取すべきカルシウム所要量を算出し得るものである。なお、この実施例の説明においては、上述した年齢データと性別データと身長データとを個人データと総称し、体重データと４つの体組成データとカルシウム所要量とからなる計６つのデータを生体データと総称することがある。
【００２６】
図１に示すように、装置１の本体２は基台２１とこの基台２１に載置された載台２２とから構成されており、載台２２の上面２２ａには、使用者の左右の足裏間に交流電流を流すための通電電極３１、３２と、このときに左右の足裏間に生じる電圧（電位差）を測定するための測定電極４１、４２と、個人データや生体データの表示に用いる液晶画面５と、使用者が個人データを入力するための入力装置６とが配設されている。
【００２７】
ここで、入力装置６は、液晶画面５に表示されるデータの選択操作や決定操作に用いるアップキー６１、ダウンキー６２及びセットキー６３を含んでいる。また、本体２の側面には、既に登録済みの個人データがある場合にこれを呼出すための４つのフットキー７１、７２、７３、７４からなるフットキー７と、電源遮断用のフットキー８とが配設されている。なお、セットキー６３とフットキー７１〜７４とは、それぞれが電源投入キーを兼ねている。更に、図１において破線で囲んだように、載台２２の上面２２ａには、液晶画面５と入力装置６との間に挟まれるようにして、５つのキースイッチ９１、９２、９３、９４、９５からなる項目キー９が配設されている。なお、この５つのキースイッチ９１〜９５は、体重データ以外の生体データ（即ち、体脂肪率、骨量、筋肉量、基礎代謝量及びカルシウム所要量）のそれぞれに対応して設けられている。
【００２８】
また、図２に示すように、この装置１の内部には、通電電極３１、３２に接続された電流供給回路１１と、測定電極４１、４２に接続された電圧測定回路１２と、荷重に応じた電圧を出力することにより使用者の体重データを測定するための重量センサ１３と、これら電圧測定回路１２及び重量センサ１３からの電圧信号をデジタル変換するＡ／Ｄ変換器１４と、液晶画面５、入力装置６、フットキー７、電源キー８及び項目キー９（キースイッチ９１〜９５）に接続された入出力回路１５と、入力された個人データと測定された生体データとを記憶させるための記憶装置１６と、電池を含む電源装置１７と、これら電流供給回路１１、Ａ／Ｄ変換器１４、入出力回路１５、記憶装置１６及び電源装置１７に電気的に接続された制御装置１０とが配設されている。
【００２９】
このような構成において、制御装置１０は、公知の演算素子（ＣＰＵ）を含み、内蔵時計によって常に現在日時を更新しつつ、記憶装置１６に予め記憶された制御プログラムを実行することにより、入力装置６からの個人データの入力を受付ける処理、重量センサ１３を用いて体重データを測定する処理、通電電極３１、３２に交流電流を供給する処理、この電流値と測定電極４１、４２で検出される電圧値とに基づいて使用者の身体インピーダンスを算出する処理、この身体インピーダンスと入力装置６で入力された個人データと重量センサ１３で測定された体重データとから体組成データ及びカルシウム所要量を算出する処理、入力された個人データ及び測定された生体データを液晶画面５に表示させ、及び記憶装置１６に記憶させる処理等、各種の制御処理を実行し、以って使用者の生体データを測定するものである。以下、これらの制御処理について、図３から図６までを参照して説明する。
【００３０】
図３のフローチャートは、使用者がこの装置１を初めて使用するときなど、個人データの登録を行う際の処理を示す。使用者がセットキー６３を押下してこの装置１を起動すると、この登録処理が実行される。
【００３１】
ステップＳ１では、使用者の個人番号が決定される。液晶画面５に、個人番号として１〜４の４つの数字が表示されるので、使用者は、アップキー６１、ダウンキー６２を用いて任意の１つを自身の個人番号として選択し、セットキー６３により決定する。次いで、ステップＳ２では、選択された個人番号に対して既に個人データの登録がなされているかどうかの確認が行われる。登録済みの場合はステップＳ３に進み、未登録の場合はステップＳ４に進む。ステップＳ３では、液晶画面５に再登録を行うかどうかの選択肢が表示され、使用者が再登録を行う旨の選択肢を選んだ場合はステップＳ４に進むが、再登録を行わない旨の選択肢を選んだ場合はこの登録処理は終了され、電源は自動的に遮断される。
【００３２】
ステップＳ４では、使用者の生年月日が入力される。液晶画面５には、年、月、日を表す数字が表示され、使用者がアップキー６１、ダウンキー６２を用いてそれぞれの数字を増減させて自身の生年月日に合わせ、セットキー６３により決定する。制御装置１０では、入力された生年月日と内蔵時計が示す現在の年月日との比較により、使用者の年齢データが算出される。次いで、ステップＳ５では、使用者の性別データが入力される。液晶画面５には男女の選択肢が表示され、使用者がアップキー６１、ダウンキー６２を用いて自身の性別を選択し、セットキー６３により決定する。次いで、ステップＳ６では、使用者の身長データが入力される。液晶画面５には身長を表す数字が表示され、使用者がアップキー６１、ダウンキー６２を用いてこの数字を増減させて自身の身長に合わせ、セットキー６３により決定する。
【００３３】
ステップＳ７では、ステップＳ１で選択された個人番号とステップＳ４からＳ６までで入力された個人データとがセットで記憶装置１６に保存される。以上により、個人データの登録処理は全て終了となり、その後所定時間（例えば、１０秒程度）が経過すると電源が自動的に遮断される。この所定時間中、入力された個人データを液晶画面５に表示して使用者の確認に供しても良い。また、もちろん、電源の遮断は、使用者が電源遮断キー８を押下して電源を遮断しても良い。
【００３４】
図４のフローチャートは、使用者がこの装置１を使用して自身の生体データを測定する際の処理を示す。使用者が、自身の個人データが登録された個人番号に対応するフットキー７（７１から７４の何れか）を押下してこの装置１を起動すると、この測定処理が実行される。
【００３５】
ステップＳ１１では、押下されたフットキー７に対応した個人データが登録済みであるか否かの確認が行われる。ここで、個人データが未登録の場合には、使用者にその登録を促すべくステップＳ１２に進んでデータ未登録の旨を液晶画面５に所定時間だけ表示し、その後この測定処理を終了する。なお、測定処理の終了に代えて、図３のステップＳ４に移動するようにしても良い。一方、個人データが登録済みであれば、ステップＳ１３に進んで当該個人データが読込まれ、その後ステップＳ１４に進む。
【００３６】
ステップＳ１４では、使用者の体重データと両足間の身体インピーダンスデータとが測定される。即ち、使用者が、左足裏を通電電極３１及び測定電極４１に、右足裏を通電電極３１及び測定電極４１に、それぞれ接触させて載台２２の上面２２ａに立つと、重量センサ１３で検出される荷重が使用者の体重データとして測定される。また、通電電極３１、３２を介して左右の足裏間に交流電流が供給され、且つ、測定電極４１、４２を介して左右の足裏間の電圧（電位差）が測定されて、これら電流値と電圧値とから両足間の生体電気インピーダンスが算出される。なお、抵抗値が既知で且つ異なる複数の基準抵抗を身体に対して直列又は並列となるように電気回路中に配設しておき、各抵抗に起因して生じる電位差を両足間に生じる電位差と共に取得し、取得された各電位差と基準抵抗の抵抗値との比率に基づいて被測定者の身体インピーダンスを算出することも可能であり、この場合は身体に供給される電流値が不明であってもインピーダンスデータを取得することができる。
【００３７】
次いで、ステップＳ１５では、使用者の個人データとして登録済みの年齢データ、性別データ及び身長データと、ステップＳ１４で測定された体重データ及び身体インピーダンスデータとに基づいて、体脂肪率データ、骨量データ、筋肉量データ及び基礎代謝量データが算出され、記憶装置１６に保存される。以下、それぞれの算出方法について簡単に説明する。
【００３８】
まず、身長データＨｔ、体重データＷｔ、身体インピーダンスデータＺに基づき、式１を用いて使用者の体密度ＢＤを算出し、次いで式２を用いて体脂肪率％ＦＡＴを算出する。但し、式１のａ、ｂは、性別データに応じて予め設定した定数である。なお、斯かる算出方法は、前掲特許文献１及び２において詳述されている。
ＢＤ＝ａ−ｂ×Ｗｔ×Ｚ／Ｈｔ２  （式１）
％ＦＡＴ＝（４．９５／ＢＤ−４．５）×１００  （式２）
【００３９】
次に、身長データＨｔ及び身体インピーダンスデータＺに基づき、式３を用いて使用者の除脂肪量ＦＦＭを算出し、次いで式４を用いて骨量ＢＭＣを算出する。但し、式３のＫは、除脂肪組織の体積当たりの抵抗率と除脂肪組織の比重とを基礎として予め設定した定数であり、式４のＣ１、Ｃ２は、性別データに応じて予め設定した定数である。なお、斯かる算出方法は、前掲特許文献３において詳述されている。
ＦＦＭ＝Ｈｔ２×Ｋ／Ｚ  （式３）
ＢＭＣ＝Ｃ１×ＦＦＭ＋Ｃ２  （式４）
【００４０】
或いは、除脂肪量ＦＦＭは、体重データＷｔ及び体脂肪率％ＦＡＴに基づき、式５を用いて算出することもできる。
ＦＦＭ＝Ｗｔ×（１−％ＦＡＴ）／１００  （式５）
【００４１】
次に、除脂肪量ＦＦＭ及び骨量ＢＭＣに基づき、式６を用いて使用者の筋肉量ＭＭを算出する。なお、斯かる算出方法は、前掲特許文献４において詳述されている。
ＭＭ＝ＦＦＭ−ＢＭＣ  （式６）
【００４２】
次に、年齢データＡｇｅ及び除脂肪量ＦＦＭに基づき、式７を用いて使用者の基礎代謝量ＢＭＲを算出する。但し、式７のＡ、Ｂ、Ｃは、性別データに応じて予め設定した定数である。なお、斯かる算出方法は、前掲特許文献５において詳述されている。
ＢＭＲ＝Ａ×ＦＦＭ＋Ｂ×（１／Ａｇｅ）＋Ｃ  （式７）
【００４３】
次いで、ステップＳ１６では、年齢データと、性別データと、身長データと、体重データと、骨量データとに基づいて、使用者の摂取すべきカルシウム所要量に関する情報が取得される。即ち、記憶装置１６には、これらのデータをパラメータとする、図５（Ａ）の如きカルシウム所要量のデータテーブル１６１Ａと、図５（Ｂ）の如き男女別体重別推定骨量平均値のデータテーブル１６１Ｂとが予め格納されており、制御装置１０は、ステップＳ１３からステップＳ１５において取得した各データに対応するカルシウム所要量データを読込むものである。ここで、データテーブル１６１Ａにおける骨量の「平均値以上」「少」は、ステップＳ１５で算出された骨量が２．２ｋｇ以上の場合に「平均値以上」、２．２ｋｇ未満の場合に「少」が選択さる。なお、この閾値２．２ｋｇは、本願出願人が長年の研究調査を通じて得たデータテーブル１６１Ｂの男女別体重別推定骨量平均値に従って定められている。従って、例えば、使用者が２０歳代の女性で、身長が１５５ｃｍ、体重が４５ｋｇ、骨量が２．１ｋｇである場合、当該使用者の摂取すべきカルシウム所要量は、７００ｍｇとなる。
【００４４】
ここで、このデータテーブル１６１Ａに代えて、図６（Ａ）の如きデータテーブル１６２Ａ及び図６（Ｂ）の如きデータテーブル１６２Ｂを格納しておくこともできる。データテーブル１６２Ａは、体格指数（ＢＭＩ）データと骨量データとをパラメータとして使用者を区分するもので、データテーブル１６２Ｂは、データテーブル１６２Ａにおける区分データと性別データと年齢データとをパラメータとしてカルシウム所要量データが与えられたものである。なお、体格指数は、体重を身長の２乗で除したものである。また、データテーブル１６２Ａにおける骨量の「平均値以上」「少」は、使用者が女性で体重が４５ｋｇ以上６０ｋｇ未満の場合、ステップＳ１５で算出された骨量が２．２ｋｇ以上の場合に「平均値以上」、２．２ｋｇ未満の場合に「少」が選択され、この閾値２．２ｋｇは、データテーブル１６１Ｂの男女別体重別推定骨量平均値（図５（Ｂ））に従って定められている。従って、この場合、制御装置１０は、ステップＳ１３及びステップＳ１４において取得した身長データと体重データとに基づいて体格指数データを算出し、この体格指数データとステップＳ１５で取得した骨量データとに基づいてデータテーブル１６２Ａにおける区分データを読込み、この区分データとステップＳ１３で取得した年齢データ及び性別データとに基づいて、データテーブル１６２Ｂから使用者に対応するカルシウム所要量データを読込むこととなる。
【００４５】
また、データテーブル１６２Ａは、体格指数に代えて、筋肉指数（ＬＭＩ）データと骨量データとをパラメータとして使用者を区分するデータテーブル（不図示）としてもよい。なお、筋肉指数は、筋肉量を身長の２条で除したものである。この場合、制御装置１０は、ステップＳ１３からステップＳ１５において取得した身長データと筋肉量データとに基づいて筋肉指数データを算出し、この筋肉指数データとステップＳ１５で取得した骨量データとに基づいてデータテーブル（不図示）における区分データを読込み、この区分データとステップＳ１３で取得した年齢データ及び性別データとに基づいて、データテーブル１６２Ｂから使用者に対応するカルシウム所要量データを読込むこととなる。
【００４６】
即ち、厚生労働省の提言するカルシウム摂取基準値は性別及び大まかな年代別、身長別のものに過ぎないところ、本実施例の健康管理装置１では、データテーブル１６１を用いることで、カルシウムと深い関係のある骨量をも加味して使用者の摂取すべきカルシウム所要量に関する情報を取得することが可能となり、更に、データテーブル１６１に代えてデータテーブル１６２Ａ及び１６２Ｂ又はそのパラメータのひとつである体格指数を筋肉指数に変更したデータテーブル用いることで、骨量に加えて体重又は筋肉量をも加味して使用者の摂取すべきカルシウム所要量に関する情報を取得することが可能となるものである。
【００４７】
更に、このステップＳ１６では、データテーブル１６１から読込まれたカルシウム所要量データと関連付けて使用者の健康管理に役立つアドバイスを提供すべく、次のような処理がなされる。
【００４８】
即ち、記憶装置１６には、カルシウム所要量を「牛乳コップ何杯分」といった解り易いデータに換算してなるデータテーブル（不図示）が格納されており、制御装置１０は、データテーブル１６１から読込んだカルシウム所要量データに対応する換算データを読込む。なお、斯かる換算データは、「牛乳コップ何杯分」のほかにも、「牛乳瓶何本分」、「チーズ何グラム」、「小魚何グラム」等、種々の態様とし得る。
【００４９】
また、記憶装置１６には、年齢データ、性別データ及び体格指数（ＢＭＩ）データの３種類のデータをパラメータとする、図７の如き必要骨量のデータテーブル１６３が格納されており、制御装置１０は、ステップＳ１３からステップＳ１５において取得した使用者の年齢データと、性別データと、身長データと、体重データとに基づいて、このデータテーブル１６３から必要骨量データを読込む。ここで、必要骨量とは、使用者が現在の体型を維持するために最低限必要な骨量を意味し、性別、年齢（年代）別、体格指数別に予め求めておくことができる。なお、もちろん、体格指数は、体重を身長の２乗で除して得られる公知の指数である。
【００５０】
ここで、制御装置１０は、先のステップＳ１５で算出された骨量データとデータテーブル１６３から読込んだ必要骨量データとの差分である骨量差データを算出する。例えば、算出された骨量データが２．１ｋｇで、読込まれた必要骨量データが２．２ｋｇであれば、骨量差データは−０．１ｋｇとなる。
【００５１】
更に、記憶装置１６には、骨量差データと基礎代謝量データとをパラメータとする、図８の如きアドバイスコメントのデータテーブル１６４が格納されており、制御装置１０は、ステップＳ１５で算出した基礎代謝量データと、このステップＳ１６で算出した骨量差データとに基づいて、このデータテーブル１６４からアドバイスコメントを読込む。例えば、基礎代謝量データが所定レベルよりも低い値（燃えにくい）で、骨量差データが−０．１ｋｇであれば、「まずは３ヶ月間、１日に５０００歩を目標に歩こう」というアドバイスコメントが読込まれることとなる。なお、斯かるアドバイスコメントは、図８に示したもの以外にも、「骨量を増やす意味も込めて、体重、筋肉を付けることが肝心です。まずは食事をしっかり取りましょう。食事からカルシウムは取れるものです。骨にもいいでしょう。」、「骨と筋肉は、互いに関係しているものです。筋肉が減れば、徐々に骨量も少なくなってしまいます。体重だけの管理で安心せずに、筋肉や骨にも目を向けてあげましょう。」、「これ以上、太らないようにしましょう。骨にも負担がかかります。食事は野菜や魚を中心に取るなど、食卓改革をしましょう。毎日５０００歩は最低歩くようにして、徐々に歩数を増やしていきましょう。」等、種々の態様とし得る。
【００５２】
ステップＳ１６の後、ステップＳ１７では、ステップＳ１４で測定された体重データと、ステップＳ１５で算出された体脂肪率データ、骨量データ、筋肉量データ及び基礎代謝量データと、ステップＳ１６で取得されたカルシウム所要量データ等とが、液晶画面５に表示される。
【００５３】
この液晶画面５における表示は、図９の如く、まず、体重データと体脂肪率データとが、約３秒の間隔で、交互に、合計６回（即ち、各データが３回ずつ）表示される。ここで、斯かる交互表示がなされている間に、項目キー９を押下すると、押下されたキースイッチ９１〜９５に対応して、体脂肪率データ、骨量データ、筋肉量データ、基礎代謝量データ、カルシウム所要量データのいずれかが表示される。即ち、体脂肪率に対応するキースイッチ９１が押下された場合は体脂肪率データが表示され、骨量に対応するキースイッチ９２が押下された場合は骨量データが表示され、筋肉量に対応するキースイッチ９３が押下された場合は筋肉量データが表示され、基礎代謝量に対応するキースイッチ９４が押下された場合は基礎代謝量データが表示され、カルシウム所要量に対応するキースイッチ９５が押下された場合はカルシウム所要量データが表示される。この状態で、別のキースイッチを押下すると、当該キースイッチに対応したデータの表示に切替わる。また、同一のキースイッチを再押下すると、体重データと体脂肪率データとの交互表示に戻る。但し、カルシウム所要量データについては、更に次のような表示がなされる。
【００５４】
即ち、カルシウム所要量データが表示された状態でキースイッチ９５が押下されると、表示されていたカルシウム所要量が、ステップＳ１６で取得された「牛乳コップ何杯分」という換算データで表示され、更にキースイッチ９５が押下されると、ステップＳ１６で取得されたアドバイスコメントが表示されるものである。そして、キースイッチ９５の再度の押下により、液晶画面５は体重データと体脂肪率データとの交互表示に戻る。
【００５５】
体重データと体脂肪率データとの合計６回の交互表示が終了し、又は電源遮断用のフットキー８が押下されると、測定モードは終了し、通電が遮断される。
【００５６】
以上、説明してきたとおり、本発明の実施例たる健康管理装置１では、使用者の摂取すべきカルシウム所要量に関する情報を、使用者の体組成、とりわけ、カルシウムと深い関係のある骨量に応じて取得し得るものである。なお、本発明は、実施例の構成に限定されることなく、特許請求の範囲に記載した構成を備える限りにおいて、実施例と共に説明した各種の変形はもちろん、その他の様々な変形が可能である。
【図面の簡単な説明】
【００５７】
【図１】本発明の実施例たる健康管理装置１の外観図。
【図２】この健康管理装置１に内蔵された電気回路構成の概要を示すブロック図。
【図３】この健康管理装置１で実行される個人データ登録処理のフローチャート。
【図４】この健康管理装置１で実行される生体データ測定処理のフローチャート。
【図５】この健康管理装置１に格納されたデータテーブルを表す図。
【図６】この健康管理装置１に格納された別のデータテーブルを表す図。
【図７】この健康管理装置１に格納された更に別のデータテーブルを表す図。
【図８】この健康管理装置１に格納された更に別のデータテーブルを表す図。
【図９】この健康管理装置１で実行される生体データ表示の例を表す図。
【符号の説明】
【００５８】
１  健康管理装置
２  本体
２１  基台
２２  載台
２２ａ  上面
３１、３２  通電電極
４１、４２  測定電極
５  液晶画面
６  入力装置
６１  アップキー
６２  ダウンキー
６３  決定キー
７（７１、７２、７３、７４）  フットキー
８  電源遮断用フットキー
９  項目キー
９１、９２、９３、９４、９５  キースイッチ
１０  制御装置
１１  電流供給回路
１２  電圧測定回路
１３  重量センサ
１４  Ａ／Ｄ変換器
１５  入出力回路
１６  記憶装置
１６１、１６２Ａ、１６２Ｂ、１６３、１６４  データテーブル
１７  電源装置
【図１】
0004743524.tif 000002
【図２】
0004743524.tif 000003
【図３】
0004743524.tif 000004
【図４】
0004743524.tif 000005
【図５】
0004743524.tif 000006
【図６】
0004743524.tif 000007
【図７】
0004743524.tif 000008
【図８】
0004743524.tif 000009
【図９】
0004743524.tif 000010